【手続補正書】
【提出日】平成28年11月21日(2016.11.21)
【手続補正１】
【補正対象書類名】特許請求の範囲
【補正対象項目名】全文
【補正方法】変更
【補正の内容】
【特許請求の範囲】
【請求項１】
地球観測及び通信のための衛星システムであって、
６０°の緯度を超える地理的サービス領域にわたって、２０°以上の仰角の連続したカバー範囲を共に提供する、地球を周回する２基の衛星の群と、
７０°と９０°との間の軌道傾斜角と、０．２７５と０．４５との間の軌道離心率とを有する各衛星と、
２基の衛星の前記群への信号の送信及び２基の衛星の前記群からの信号の受信を行うための基地局と
を備え、
前記軌道離心率及び前記軌道傾斜角によって、各衛星が、対象極域上の遠地点と、バンアレン陽子帯への暴露を最小限にする近地点とを有することになり、ＧＥＯ衛星に必要な放射線遮蔽以下の放射線遮蔽の使用が可能である、システム。
【請求項２】
請求項１に記載のシステムであって、
前記軌道傾斜角は、８０°と９０°との間である、システム。
【請求項３】
請求項１及び請求項２のうちのいずれか一方に記載のシステムであって、
前記軌道傾斜角は、９０°である、システム。
【請求項４】
請求項１〜３のうちのいずれか１項に記載のシステムであって、
前記軌道離心率は、前記システムの軌道の必要な周期にカバー範囲を提供するために、前記地理的サービス領域上で十分に高い遠地点を有するように選択される、システム。
【請求項５】
請求項１〜４のうちのいずれか１項に記載のシステムであって、
前記軌道離心率は、０．３０と０．３４との間である、システム。
【請求項６】
請求項１〜５のうちのいずれか１項に記載のシステムであって、
３基目の衛星をさらに備える、システム。
【請求項７】
請求項１〜６のうちのいずれか１項に記載のシステムであって、
前記衛星は、２４時間の軌道周期を有している、システム。
【請求項８】
請求項１〜７のうちのいずれか１項に記載のシステムであって、
前記衛星の位相は、前記衛星のそれぞれの遠地点間の時間が前記群中の衛星の数で除算された前記軌道周期になるような位相である、システム。
【請求項９】
請求項１〜８のうちのいずれか１項に記載のシステムであって、
前記衛星は、同じ軌道面を移動する、システム。
【請求項１０】
請求項１〜９のうちのいずれか１項に記載のシステムであって、
前記軌道離心率は、より狭い周極地域の連続したカバー範囲を達成するために減少して、６５°を超える緯度のみを含む、システム。
【請求項１１】
請求項１〜９のうちのいずれか１項に記載のシステムであって、
前記軌道離心率は、より狭い周極地域の連続したカバー範囲を達成するために減少して、７０°を超える緯度のみを含む、システム。
【請求項１２】
請求項１〜１１のうちのいずれか１項に記載のシステムであって、
近地点の引数は、２７０°である、システム。
【請求項１３】
請求項１〜１１のうちのいずれか１項に記載のシステムであって、
遠地点が南半球にあり、近地点が北半球にあるように、近地点の引数は、９０°である、システム。
【請求項１４】
地球観測及び通信のための衛星システムの運用方法であって、
６０°の緯度を超える地理的サービス領域にわたって、２０°以上の仰角の連続したカバー範囲を共に提供する、地球を周回する２基の衛星の群を提供することであって、各衛星が、７０°と９０°との間の軌道傾斜角と、０．２７５と０．４５との間の軌道離心率とを有し、前記軌道離心率及び前記軌道傾斜角によって、各衛星が、対象極域上の衛星遠地点と、バンアレン陽子帯への暴露を最小限にする衛星近地点とを有することになり、ＧＥＯ衛星に必要な放射線遮蔽以下の放射線遮蔽の使用が可能である、２基の衛星の群を提供することと、
２基の衛星の前記群への信号の送信と、２基の衛星の前記群からの信号の受信とを行うための基地局を提供することと
を備える、方法。
【請求項１５】
請求項１４に記載の方法であって、
前記軌道傾斜角は、８０°と９０°との間である、方法。
【請求項１６】
請求項１４及び請求項１５のうちのいずれか一方に記載の方法であって、
前記軌道離心率は、０．３０と０．３４との間である、方法。
【請求項１７】
請求項１４〜１６のうちのいずれか１項に記載の方法であって、
前記衛星は、２４時間の軌道周期を有している、方法。
【請求項１８】
請求項１４〜１７のうちのいずれか１項に記載の方法であって、
前記衛星は、同じ軌道面を移動する、方法。
【請求項１９】
請求項１８に記載の方法であって、
前記衛星の位相は、前記衛星のそれぞれの遠地点間の時間が前記群中の衛星の数で除算された前記軌道周期になるような位相である、方法。
【請求項２０】
衛星基地局であって、
６０°の緯度を超える地理的サービス領域にわたって、２０°以上の仰角の連続したカバー範囲を共に提供する、地球を周回する２基の衛星の群への信号の送信と、該群からの信号の受信とを行うための通信手段と、
２基の衛星の前記群の軌道を制御するための飛行制御手段であって、各衛星が、７０°と９０°との間の軌道傾斜角と、０．２７５と０．４５との間の軌道離心率とを有する、飛行制御手段と
を備え、
前記軌道離心率及び前記軌道傾斜角によって、各衛星が、対象極域上の衛星遠地点と、バンアレン陽子帯への暴露を最小限にする衛星近地点とを有することになり、ＧＥＯ衛星に必要な放射線遮蔽以下の放射線遮蔽の使用が可能である、衛星基地局。
【請求項２１】
請求項２０に記載の衛星基地局であって、
前記軌道傾斜角は、８０°と９０°との間である、衛星基地局。
【請求項２２】
請求項２０及び請求項２１のうちのいずれか一方に記載の衛星基地局であって、
前記軌道離心率は、０．３０と０．３４との間である、衛星基地局。
【請求項２３】
請求項２０〜２２のうちのいずれか１項に記載の衛星基地局であって、
前記衛星は、２４時間の軌道周期を有している、衛星基地局。
【請求項２４】
請求項２０〜２３のうちのいずれか１項に記載の衛星基地局であって、
前記衛星は、同じ軌道面を移動する、衛星基地局。
【請求項２５】
請求項２４に記載の衛星基地局であって、
前記衛星の位相は、前記衛星のそれぞれの遠地点間の時間が前記軌道周期の半分となるような位相である、衛星基地局。
【請求項２６】
衛星であって、
基地局への信号の送信と基地局からの信号の受信とを行うための通信手段と、
２０°以上の仰角を有し、６０°の緯度を超える地理的サービス領域にサービスを提供する地球観測及び通信ペイロードと、
７０°と９０°との間の軌道傾斜角と、０．２７５と０．４５との間の軌道離心率とを有するように地球の周囲の軌道を制御するための飛行制御手段と
を備え、
前記軌道離心率及び前記軌道傾斜角によって、各衛星が、対象極域上の遠地点と、バンアレン陽子帯への暴露を最小限にする近地点とを有することになり、ＧＥＯ衛星に必要な放射線遮蔽以下の放射線遮蔽の使用が可能である、衛星。
【請求項２７】
請求項２６に記載の衛星であって、
前記軌道傾斜角は、８０°と９０°との間である、衛星。
【請求項２８】
請求項２６及び請求項２７のうちのいずれか一方に記載の衛星であって、
前記軌道離心率は、０．３０と０．３４との間である、衛星。
【請求項２９】
請求項２６〜２８のうちのいずれか１項に記載の衛星であって、
前記衛星は、２４時間の軌道周期を有している、衛星。
【請求項３０】
請求項２６〜２９のうちのいずれか１項に記載の衛星であって、
前記衛星は、同軌道にある第２の衛星と同じ軌道面を移動する、衛星。
【請求項３１】
請求項３０に記載の衛星であって、
前記衛星は、当該衛星の遠地点と、同じ軌道にある前記第２の衛星の遠地点との間の時間が前記軌道周期の半分となる位相を有する、衛星。
【請求項３２】
打ち上げ機であって、
ペイロードフェアリングと、
前記ペイロードフェアリング内に配置され、請求項２６〜３１のうちのいずれか１項に記載されたように構成された２基以上の衛星と、
前記２基以上の衛星を同じ軌道面における地球の周囲の軌道に打ち上げるための推進手段と
を備える、打ち上げ機。